(57)【要約】      （修正有）【課題】見栄えを損なわずに所望の部分に磁石を用いてポスター等を取り付けることができ、材料の無駄も省くことができる磁気吸着ボードを提供する。【解決手段】壁１０の壁紙２６の内側には鉄板１４が設けられている。鉄板１４は、石膏ボード１２よりも面積が狭く、表面には必要に応じて防錆処理層１６と、石膏ボード１２と同色の着色層１８が設けられる。着色層１８と反対の主面には、剥離紙付きの接着層２０が設けられ、該剥離紙を剥がすことで、石膏ボード１２に接着される。前記鉄板１４の周縁には、石膏ボード１２との段差を埋めるパテ２４が設けられる。そして、前記鉄板１４及びパテ２４を覆うように、石膏ボード１２の全面に壁紙２６が貼り付けられる。鉄板１４が設けられた部分には、磁石３２が吸着するので、ポスター３０などを、壁１０に傷を付けずに取り付け・取り外しすることが可能である。【選択図】図１
0003181862.tif 000002
【実用新案登録請求の範囲】
【請求項１】
建築物に用いられる磁気吸着ボードであって、
石膏ボードと、
該石膏ボードの一部に設けられており、磁石が吸着する磁気吸着シートと、
該磁気吸着シートの周縁に設けられており、石膏ボードとの段差を埋める充填材と、
前記磁気吸着シート及び充填材を覆うように、石膏ボードの全面に接着された壁紙と、
を備えたことを特徴とする磁気吸着ボード。
【請求項２】
前記磁気吸着シートが鉄板であることを特徴とする請求項１記載の磁気吸着ボード。
【請求項３】
前記磁気吸着シートに、防錆処理を施したことを特徴とする請求項１又は２記載の磁気吸着ボード。
【請求項４】
前記磁気吸着シートの表面に、前記石膏ボードと同色の着色層を設けたことを特徴とする請求項１〜３のいずれか一項に記載の磁気吸着ボード。
【請求項５】
請求項１記載の磁気吸着ボードで使用する磁気吸着シートであって、
鉄板の表面に、防錆処理層と、石膏ボードと同色の着色層とを設けたことを特徴とする磁気吸着シート。
【考案の詳細な説明】
【技術分野】
【０００１】
本考案は、建物の壁や天井などに用いられる磁気吸着ボード及び磁気吸着シートに関するものである。
【背景技術】
【０００２】
従来、壁や天井にポスターなどを飾る場合には、壁面等に対してピンを刺して取り付けていた。しかし、ピンを外した後には壁に穴が開いてしまう。また、飾る位置を変える度に壁に穴が開き、見栄えが悪い。特に、賃貸住宅等では、壁に穴を開けると退去時に修繕費を請求されることがある。このような課題に対して、例えば、下記特許文献１に示すように、磁石の吸いつく性質を利用した技術がある。前記特許文献１には、壁紙の下に鉄板を接着させ、壁紙下地を接着させることにより、磁石の吸いつく性質を利用して、場所を問わずにポスター等を取り付けることができる鉄板下地壁紙が開示されている。
【先行技術文献】
【特許文献】
【０００３】
【特許文献１】特開平８−７４４００号公報
【考案の概要】
【考案が解決しようとする課題】
【０００４】
しかしながら、上述した背景技術では、場所を問わずに取り付けられるようにするため、コンクリート，ベニヤ板，石膏ボードなどの壁紙下地の全面に鉄板を設ける必要がある。しかし、通常は、壁面全体にポスター等を取り付けるようなことは少なく、壁面のある一定の部分に取り付けられれば十分な場合も多い。また、鉄板の上に壁紙を接着するにあたり、壁紙の素材，模様，色彩等によっては、下層の鉄板が透けてしまい、見栄えを損なうこともある。更に、鉄板が錆びた場合にも、錆が壁紙を汚してしまうという課題がある。
【０００５】
従って、所望の部分に磁石を用いてポスター等を取り付けることができ、かつ、取り付け・取り外しを繰り返しても、壁等の見栄えを損なわないような表層部材が得られれば、全面に鉄板を設けるという無駄も解消することができる。
【０００６】
本考案は、以上のような点に着目したもので、所望の部分に磁石を用いてポスターなどを取り付けることができ、取り付け・取り外しを繰り返しても見栄えを損なわず、かつ、材料の無駄も省くことができる磁気吸着ボード及び磁気吸着シートを提供することを、その目的とする。
【課題を解決するための手段】
【０００７】
本考案の磁気吸着ボードは、建築物に用いられる磁気吸着ボードであって、石膏ボードと、該石膏ボードの一部に設けられており、磁石が吸着する磁気吸着シートと、該磁気吸着シートの周縁に設けられており、石膏ボードとの段差を埋める充填材と、前記磁気吸着シート及び充填材を覆うように、石膏ボードの全面に接着された壁紙と、を備えたことを特徴とする。
【０００８】
主要な形態の一つは、前記磁気吸着シートが鉄板であることを特徴とする。他の形態は、前記磁気吸着シートに、防錆処理を施したことを特徴とする。更に他の形態は、前記磁気吸着シートの表面に、前記石膏ボードと同色の着色層を設けたことを特徴とする。
【０００９】
本考案の磁気吸着シートは、請求項１記載の磁気吸着ボードで使用する磁気吸着シートであって、鉄板の表面に、防錆処理層と、石膏ボードと同色の着色層とを設けたことを特徴とする。本考案の前記及び他の目的，特徴，利点は、以下の詳細な説明及び添付図面から明瞭になろう。
【考案の効果】
【００１０】
本考案によれば、石膏ボードの一部に、磁石が吸着する磁気吸着シートを設け、前記石膏ボートとの間の段差を充填材で埋め、更に、前記磁気吸着シート及び充填材を覆うように、石膏ボードの全面に壁紙を貼り付けることとした。このため、所望の部分にのみ磁気吸着シートを設けるので、材料の無駄を省くことができる。また、石膏ボードとの段差を充填材で埋めるので美観を損なうこともない。更に、磁石を用いて被取付物を取り付けるため、取り付け・取り外しを繰り返しても壁などに穴や傷が付かず、見栄えがよい。また、必要に応じて、磁気吸着シートとして利用する鉄板に防錆処理を施したり、石膏ボードと同色の着色層を設けたりすることで、錆による壁紙の変色や、壁紙から透けて見えるのを防止することができる。
【図面の簡単な説明】
【００１１】
【図１】本考案の実施例１を示す図であり、(A)は使用状態を示す図，(B)は前記(A)を＃Ａ−＃Ａ線に沿って切断し矢印方向に見た断面図で，(C)は変形例を示す図である。
【図２】前記実施例１の壁の施工方法を示す断面図である。
【図３】前記実施例１の壁の施工例を示す画像である。
【考案を実施するための形態】
【００１２】
以下、本考案を実施するための最良の形態を、実施例に基づいて詳細に説明する。
【実施例１】
【００１３】
最初に、図１〜図３を参照しながら本考案の実施例１を説明する。本実施例は、本考案の磁気吸着ボードを建築物の壁に用いた例である。図１(A)は、本実施例の使用状態を示す図，図１(B)は前記図１(A)を＃Ａ−＃Ａ線に沿って切断し矢印方向に見た断面図である。図２は、本実施例の施工方法の一例を示す断面図，図１(C)は変形例を示す図である。図３は、壁の施工例を示す画像である。図１(A)に示すように、本実施例の壁１０は、壁面の一部に鉄板１４が埋め込まれており、該鉄板１４に磁石３２が吸着することで、ポスター３０などの被取付物を壁１０に取り付け可能となっている。
【００１４】
図１(B)に示すように、前記鉄板１４は、石膏ボード１２よりも面積が小さく、表面には、必要に応じて防錆処理層１６が設けられている。また、壁紙２６が貼り付けられる側の主面には、石膏ボード１２と同色（例えば、クリーム色など）の着色層１８が設けられている。そして、前記鉄板１４の周縁には、石膏ボード１２との段差を埋めるように、前記鉄板１４の表面よりも突出しないように、パテ２４などの充填材が設けられている。そして、前記鉄板１４とパテ２４を覆うように、前記石膏ボード１２の全面に壁紙２６が設けられている。
【００１５】
次に、図２及び図３も参照して、本実施例の壁１０の施工方法の一例を説明する。まず、図２(A)に示すように、石膏ボード１２よりも小さい鉄板１４を用意する。そして、図２(B)に示すように、必要に応じて前記鉄板１４の表面に防錆処理を施し、防錆処理層１６を形成する。防錆処理層１６を鉄板１４に形成する様子が、図３(A)に示されている。次に、図２(C)に示すように、鉄板１４の一方の主面に、必要に応じて着色層１８を設け、他方の主面に、剥離紙２２付きの接着層２０を設ける。前記着色層１８は、後述する工程で接着する壁紙２６の素材，模様，色彩等によっては、内側の鉄板１４が透けて見えることがあるので、それを防止するものである。したがって、前記着色層１８は、前記石膏ボード１２と同色（例えば、クリーム色）か、完全に同じ色でなくても同系色にすることが望ましい。該着色層１８は、公知の塗料の塗布等により形成可能である。図３(B)及び(C)には、前記着色層１８を塗布して形成する様子が示されている。図３(B)は一部塗布の状態，図３(C)は全面の塗布が完了した状態である。
【００１６】
次に、図２(D)に示すように、前記剥離紙２２を剥離して、接着層２０を石膏ボード１２の所定の位置に貼り付ける。あるいは、図３(D)に示すように、石膏ボード１２に接着剤を塗布し、鉄板１４の着色層１８と反対側には、前記剥離紙２２付きの接着層２０を設ける代わりに、図３(E)に示すように接着剤を塗布して、図３(F)に示すように、石膏ボード１２に鉄板１４を貼り付けるようにしてもよい。なお、図３(F)の例では、石膏ボード１２とほぼ同じ大きさの鉄板１４を貼り付ける様子を示しているが、実際には、図１(A)に示すように、鉄板１４は石膏ボード１２よりも小さく形成されている。従って、石膏ボード１２に貼り付けると、鉄板１４の厚さの分だけ、わずかに段差が生じる。そこで、図２(E)に示すように、前記鉄板１４の周囲に、前記石膏ボード１２の主面との段差を埋め、かつ、前記鉄板１４の主面から突出しないように、パテ２４などの充填材を設けて段差を埋める。その後、図２(F)に示すように、前記鉄板１４及びパテ２４を覆うように、前記石膏ボード１２の全面に壁紙２６を貼り付ける。このようにして形成された磁気吸着ボードは、図１(A)に示すように壁１０として用いられたり、あるいは、天井等に利用したりしてもよい。前記壁１０にポスター３０を取り付ける時は、前記鉄板１４が設けられている範囲内で、磁石３２が鉄板１４に吸着する作用を利用して取り付ける。磁石３２を使用しているので、ポスター３０の取り付けや取り外し等を繰り返し行っても、壁１０に穴を開けたり、傷を付けたりすることがない。
【００１７】
このように、実施例１によれば、石膏ボード１２上に、該石膏ボード１２よりも面積が狭く、磁石３０が吸着する鉄板１４を接着し、該鉄板１４の周縁と前記石膏ボード１２との間の段差をパテ２４で埋め、更に、前記鉄板１４及びパテ２４を覆うように、石膏ボード１２の全面に壁紙２６を貼り付けることとした。このため、次のような効果がある。
(1)必要な部分にのみ鉄板１４を設ければよいため、材料の無駄を省くことができる。
(2)鉄板１４と石膏ボード１２の段差をパテ２４で埋め、その上を壁紙２６で覆うので、仕上がり後に凹凸が目立ちにくく、見栄えを損なうことがない。
(3)磁石３２が鉄板１４に吸着する力を利用してポスター３０等を取り付けるため、取り付けや取り外しを繰り返しても、壁１０に穴が開いたり傷が付いたりすることがない。
(4)鉄板１４に防錆処理層１６を設けているので、錆による壁紙２６の変色等を防止することができる。
(5)鉄板１４の主面に、石膏ボード１２と同色（又は同系色）の着色層１８を設けることにより、壁紙２６の素材が薄い場合，無模様の場合、色彩が薄い場合等であっても、鉄板１４が透けて見えることがない。
【００１８】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、必要に応じて適宜変更してよい。
(2)前記実施例では、磁気吸着シートとして鉄板１４を利用することとしたが、これも一例であり、磁石を吸着する性質を有するシート状のものであれば、鉄板１４に限定されるものではない。
(3)前記実施例では、鉄板１４に防錆処理層１６や着色層１８を設けることとしたが、これも必要に応じて設けるようにすればよい。
(4)前記実施例では、ポスター３０の取り付けについて例示したが、これも一例であり、その他、カレンダーや各種掲示物の取り付け，あるいは、装飾用のタペストリの取り付け等にも本考案は適用可能である。
【００１９】
(5)前記実施例では、磁石３０を用いてポスター３２を挟むこととしたが、これも一例である。例えば、本考案の磁気吸着ボードを、図１(C)に示すように天井４０に利用することで、磁石４４を備えたフック４２を天井４０内の鉄板１４に吸着させ、前記フック４２に各種のものを掛けることが可能となる。むろん、このようなフック４２を、壁１０に取り付けて使用してもよい。
(6)前記実施例では、壁１０の一ヶ所にのみ鉄板１４を設けることとしたが、一つの壁面の内側に、複数の鉄板１４を設けることを妨げるものではない。
(7)本考案の磁気吸着ボードは、上述した壁１０や天井４０のほか、他の公知の各種の場所に適用可能である。
【産業上の利用可能性】
【００２０】
本考案によれば、石膏ボードの一部に、磁石が吸着する磁気吸着シートを設け、前記石膏ボートとの間の段差を充填材で埋め、更に、前記磁気吸着シート及び充填材を覆うように、石膏ボードの全面に壁紙を貼り付けることとした。このため、磁石を利用して被取付物を取り付ける磁気吸着ボードの用途に適用できる。特に、建築物の壁などに利用する磁気吸着ボートとして好適である。
【符号の説明】
【００２１】
１０：壁
１２：石膏ボード
１４：鉄板
１６：防錆処理層
１８：着色層
２０：接着層
２２：剥離紙
２４：パテ（充填材）
２６：壁紙
３０：ポスター
３２：磁石
４０：天井
４２：フック
４４：磁石
【図１】
0003181862.tif 000003
【図２】
0003181862.tif 000004
【図３】
0003181862.tif 000005